(57)【要約】【課題】  吸口状ノズル付きキャップ本体を容器体口部へ嵌合させ、そのノズル口部閉塞部付き蓋体をキャップ本体上部へ嵌合させた容器において、容器体内へ高温液体を入れると容器体内が高圧化して開蓋時に上記ノズルから高温液体等が噴出することを防止可能とした。【解決手段】  上記キャップ本体11の周壁上部へ操作リング41を嵌合させておき、該操作リングを弛め操作すると、蓋体ロック状態が解除されてこのとき操作リングが閉塞していた、キャップ本体の排気孔16が開口して、上記弛め操作と共に容器体内高圧空気ないし蒸気が排出され、よって次に開蓋しても吸口状ノズル21口部から液体噴出することがない。【選択図】  図１
2005132454.tif 000002
【特許請求の範囲】
【請求項１】
上面開口の容器体１と、該容器体口部へ嵌合させたノズル付きキャップ本体11と、該キャップ本体上部へ嵌合させた、上記ノズル閉塞部付き蓋体31とを主要部材となし、
蓋体31嵌合部分下方のキャップ本体部分へ排気孔16を穿設すると共に、該排気孔閉塞部付きの操作リング41をキャップ本体外面へ嵌合させ、該操作リングの締弛両操作で排気孔が閉塞され、又開孔し、又締状態にあっては蓋体31の開蓋が不能とした
ことを特徴とする液体収納容器。
【請求項２】
上記ノズル付きキャップ本体11を頂板13に貫設した吸口状ノズル21から容器体内へ吸上げパイプ22を、かつ頂板13外周から周壁12を、それぞれ垂下させて形成し、
又上記蓋体31の下面から垂下させた栓32で上記ノズルの口部を密閉した
ことを特徴とする請求項１記載の液体収納容器。
【請求項３】
上記操作リング41へ閉塞面と開口面とを周方向へ隣接させて設けておき、
キャップ本体11に対する操作リング41の回動で、排気孔16外面を閉塞面が密閉し、又開口面は開放可能に形成した
ことを特徴とする請求項１又は２記載の液体収納容器。
【請求項４】
上記操作リング41をキャップ本体11外面へ、往復摺動が可能に形成し、一方向への摺動時に上記排気孔16を開孔し、他方向への摺動時に閉塞可能に形成した
ことを特徴とする請求項１又は２記載の液体収納容器。
【請求項５】
上記キャップ本体周壁12の上部外面ヘ、基端から第１ストッパ18を垂下する第１係合突条19を、操作リング41の下部内面と上部内面とに第２係合突条42と第３係合突条43とを、操作リングの上部内面へ嵌合させる蓋体周壁33の下部外面へ第４係合突条36を、それぞれ複数等間隔に横設すると共に操作リングの締弛回動範囲を３区分して、締位置としての第１区分位置で第２係合突条は基端を第１ストッパ18に接して第１係合突条の一半下面へ係合し、第３係合突条43は第１係合突条19他半と第１係合突条の間隙との上方に位置し、又第４係合突条36は第３係合突条43下面へ係合可能となし、又該位置で排気孔16が閉塞され、
第２係合突条42が第１係合突条19の他半下面へ係合する第２区分位置にあっては、第４係合突条36が第３係合突条43間に位置して蓋体31の開蓋が可能とし、第１係合突条19間へ第２係合突条42が位置する第３区分位置では、キャップ本体11から操作リング41が取外し可能に形成した
ことを特徴とする請求項１、２、３又は４記載の液体収納容器。
【請求項６】
上記キャップ本体周壁の上部外面ヘ、基端からストッパ18を垂下する第１係合突条19を、操作リング41の下部内面と上部内面とに第２係合突条42と第３係合突条43とを、操作リングの上部内面へ嵌合させる蓋体周壁12の下部外面へ第４係合突条36を、それぞれ複数等間隔に横設すると共に操作リング41の締弛回動範囲を４区分して、締位置としての第１区分位置にあっては、第２係合突条42が上記第１ストッパ18に基端を接して第１係合突条19の基部側下面へ、又第４係合突条36は、第１係合突条19の中間部上方にあって、かつ第３係合突条の基部側下面へそれぞれ係合すると共に排気孔16が閉塞し、第２区分位置にあっては第１係合突条19の中間部下面へ第２係合突条42が、又第３係合突条43間へ第４係合突条36がそれぞれ移動し、
第３区分位置にあっては、第１係合突条19の先端側下面へ第２係合突条42が移動すると共に第４係合突条36は第３係合突条43上へ乗上げし、第４区分位置にあっては第１係合突条19間へ第２係合突条42位置して、キャップ本体11からの操作リング41の抜出しが可能に形成した
ことを特徴とする、請求項１、２、３又は４記載の液体収納容器。
【請求項７】
上記キャップ本体周壁33の上部外面ヘ、周方向中間から第２ストッパ18ａを垂下する第１係合突条19を、操作リング41の下部内面に第２係合突条42を、かつ上部内面の左右に第３係合突条Ａ43ａと第３係合突条Ｂ43ｂとを、操作リング41の上部内面へ嵌合させる蓋体周壁12の下部外面に第４係合突条を、それぞれ複数等間隔に横設すると共に、操作リングの締弛回動範囲を３区分して、締位置としての第１区分位置にあっては、第２係合突条42が基端面を第２ストッパ18ａに接して第１係合突条19の一半下面へ、又第４係合突条36は第３係合突条43下面へ、それぞれ係合すると共に該位置で排気孔16が閉塞され、第２区分位置にあっては、第２係合突条42が第１係合突条の他半下面へ先端面を第２ストッパ18ａに接して、又第４係合突条36は、回動途中で第３係合突条Ｂ43ｂへ乗上げることで第３係合突条Ａ43ａと第３係合突条Ｂ43ｂ間上方へ位置し、締弛中間の第３区分位置にあっては、第２係合突条42が第１係合突条19間に位置可能に形成した
ことを特徴とする、請求項１、２、３又は４記載の液体収納容器。
【請求項８】
上記蓋体31を、該蓋体から突出させた柄34を介してキャップ本体の周壁下部へ枢着させた
ことを特徴とする、請求項１ないし請求項７の１つに記載の液体収納容器。
【請求項９】
上記容器体胴部３へ、把手８を付設した
ことを特徴とする、請求項１ないし請求項８の１つに記載の液体収納容器。
【発明の詳細な説明】
【技術分野】
【０００１】
本発明は、飲料容器、特に吸口付きの液体収納容器であって、幼児・高齢者・成人向けの流動食やミルク・紅茶・更には競技者向けのスポーツ飲料等を吸飲し易くしたものに関する。
【背景技術】
【０００２】
この種容器として、容器体のキャップ頂壁に吸口部材を穿設させたもの（特許文献１）、及び、該文献１の容器と同様の構成においてその吸口部材から容器体内底部へストローを垂設したもの（特許文献２）が知られている。
【特許文献１】特開２００２−３２１７５５号
【特許文献２】特開２００２−３２１７５６号
【発明の開示】
【発明が解決しようとする課題】
【０００３】
上記特許文献２の容器は、吸口を有するから、容器体中の内容物を吸飲し易い反面、ミルクなどを熱して収納した場合に容器体内の空気が高圧化するおそれがあり、そうなると蓋体を外したときに、内容物が吸出し口から溢れ出す可能性がある。
【０００４】
本発明は、上記容器を、容器体と該容器体口部へ嵌合させたノズル付きのキャップ本体と上記ノズル閉塞部付きの蓋体とを主要部材とし、その蓋体をロックし、又そのロックを開放する操作リングを設けて、そのロックを開放すると蓋体開放に先だち容器体内高圧空気が排出されて上記のように高圧の空気ないし蒸気等がノズルから噴出することがないよう設けたものである。
【課題を解決するための手段】
【０００５】
第１の手段として上面開口の容器体１と、該容器体口部へ嵌合させたノズル付きキャップ本体11と、該キャップ本体上部へ嵌合させた、上記ノズル閉塞部付き蓋体31とを主要部材となし、
蓋体31嵌合部分下方のキャップ本体部分へ排気孔16を穿設すると共に、該排気孔閉塞部付きの操作リング41をキャップ本体外面へ嵌合させ、該操作リングの締弛両操作で排気孔が閉塞され、又開孔し、又締状態にあっては蓋体31の開蓋が不能とした。
【０００６】
第２の手段として上記第１の手段を有すると共に上記ノズル付きキャップ本体11を頂板13に貫設した吸口状ノズル21から容器体内へ吸上げパイプ22を、かつ頂板13外周から周壁12を、それぞれ垂下させて形成し、
又上記蓋体31の下面から垂下させた栓32で上記ノズルの口部を密閉した。
【０００７】
第３の手段として上記第１又は第２の手段を有すると共に上記操作リング41へ閉塞面と開口面とを周方向へ隣接させて設けておき、
キャップ本体11に対する操作リング41の回動で、排気孔16外面を閉塞面が密閉し、又開口面は開放可能に形成した。
【０００８】
第４の手段として、上記第１、又は第２の手段を有すると共に上記操作リング41をキャップ本体11外面へ、往復摺動が可能に形成し、一方向への摺動時に上記排気孔16を開孔し、他方向への摺動時に閉塞可能に形成した。
【０００９】
第５の手段として、上記第１、第２、第３又は第４の手段を有すると共に上記キャップ本体周壁12の上部外面ヘ、基端から第１ストッパ18を垂下する第１係合突条19を、操作リング41の下部内面と上部内面とに第２係合突条42と第３係合突条43とを、操作リングの上部内面へ嵌合させる蓋体周壁33の下部外面へ第４係合突条36を、それぞれ複数等間隔に横設すると共に操作リングの締弛回動範囲を３区分して、締位置としての第１区分位置で第２係合突条は基端を第１ストッパ18に接して第１係合突条の一半下面へ係合し、第３係合突条43は第１係合突条19他半と第１係合突条の間隙との上方に位置し、又第４係合突条36は第３係合突条43下面へ係合可能となし、又該位置で排気孔16が閉塞され、
第２係合突条42が第１係合突条19の他半下面へ係合する第２区分位置にあっては、第４係合突条36が第３係合突条43間に位置して蓋体31の開蓋が可能とし、第１係合突条19間へ第２係合突条42が位置する第３区分位置では、キャップ本体11から操作リング41が取外し可能に形成した。
【００１０】
第６の手段として、上記第１、第２、第３、又は第４の手段を有すると共に上記キャップ本体周壁の上部外面ヘ、基端からストッパ18を垂下する第１係合突条19を、操作リング41の下部内面と上部内面とに第２係合突条42と第３係合突条43とを、操作リングの上部内面へ嵌合させる蓋体周壁12の下部外面へ第４係合突条36を、それぞれ複数等間隔に横設すると共に操作リング41の締弛回動範囲を４区分して、締位置としての第１区分位置にあっては、第２係合突条42が上記第１ストッパ18に基端を接して第１係合突条19の基部側下面へ、又第４係合突条36は、第１係合突条19の中間部上方にあって、かつ第３係合突条の基部側下面へそれぞれ係合すると共に排気孔16が閉塞し、第２区分位置にあっては第１係合突条19の中間部下面へ第２係合突条42が、又第３係合突条43間へ第４係合突条36がそれぞれ移動し、
第３区分位置にあっては、第１係合突条19の先端側下面へ第２係合突条42が移動すると共に第４係合突条36は第３係合突条43上へ乗上げし、第４区分位置にあっては第１係合突条19間へ第２係合突条42位置して、キャップ本体11からの操作リング41の抜出しが可能に形成した。
【００１１】
第７の手段として、上記第１、第２、第３又は第４の手段を有すると共に上記キャップ本体周壁33の上部外面ヘ、周方向中間から第２ストッパ18ａを垂下する第１係合突条19を、操作リング41の下部内面に第２係合突条42を、かつ上部内面の左右に第３係合突条Ａ43ａと第３係合突条Ｂ43ｂとを、操作リング41の上部内面へ嵌合させる蓋体周壁12の下部外面に第４係合突条を、それぞれ複数等間隔に横設すると共に、操作リングの締弛回動範囲を３区分して、締位置としての第１区分位置にあっては、第２係合突条42が基端面を第２ストッパ18ａに接して第１係合突条19の一半下面へ、又第４係合突条36は第３係合突条43下面へ、それぞれ係合すると共に該位置で排気孔16が閉塞され、第２区分位置にあっては、第２係合突条42が第１係合突条の他半下面へ先端面を第２ストッパ18ａに接して、又第４係合突条36は、回動途中で第３係合突条Ｂ43ｂへ乗上げることで第３係合突条Ａ43ａと第３係合突条Ｂ43ｂ間上方へ位置し、締弛中間の第３区分位置にあっては、第２係合突条42が第１係合突条19間に位置可能に形成した。
【００１２】
第８の手段として、上記第１ないし第７のうちの１つの手段を有すると共に上記蓋体31を、該蓋体から突出させた柄34を介してキャップ本体の周壁下部へ枢着させた。
【００１３】
第９の手段として、上記第１ないし第８のうちの１つの手段を有すると共に上記容器体胴部３へ、把手８を付設した。
【発明の効果】
【００１４】
請求項１記載のようにすることで、蓋体31を開蓋するためには必ず前もって操作リング41を弛めなければならず、該弛め操作で排気孔16が開くから容器体内の高圧空気は排出され、該排出後にノズル閉塞部付き蓋体を開蓋することとなるためノズルから上記空気が噴出することを防止することが出来る。
【００１５】
請求項２のようにすることで、容器体内高圧化による、吸口状ノズルからの高温液体の噴出を防止できると共に吸口状ノズルからの液体吸込みが容易であり、蓋体開閉と同時にノズル孔を開閉できる便利がある。
【００１６】
請求項３および４のようにすることで、排気孔の開閉が容易となる。
【００１７】
請求項５のようにすることで、操作リング回動により蓋体のロックと該ロック解除とを容易に行えるほか、キャップ本体からの操作リングの取外しが可能となって分解掃除も容易となる。
【００１８】
請求項６のようにすることで、上記請求項５の効果を有するほか操作リングを第３区分位置まで回したとき、第４係合突条36が第３係合突条43上へ乗り上げして蓋体31が浮き上りするから、その開蓋が容易となる。
【００１９】
請求項７のようにすることで、第１区分位置から第２区分位置まで操作リングを回すだけで、上記請求項６の蓋体浮き上り効果を得ることが出来る。
【００２０】
請求項８のようにすることで、蓋体の開閉蓋が容易となる。
【００２１】
請求項９のようにすることで、容器の持ち運び等が容易となる。
【発明を実施するための最良の形態】
【００２２】
以下図１から図６が示す第１実施形態について説明すると、１は底板２外周から胴部３を起立する容器体で、その胴部上端が形成する口部外面へは雄ねじを螺設し、又その雄ねじ直ぐ下方の胴上部部分外面へは上下二条の係合突部４を周設している。
【００２３】
５は把手部材で、短管６の上下方向中間内面に突部７を有し、かつ短管の左右外側面から図３のように把手８を垂下させ、突部７を上記係合突部４間へ嵌合させている。
【００２４】
11はキャップ本体で、容器体口部外面へ周壁12の拡径された下部を螺合させ、周壁中間部は斜上前方へ弯曲突出させ、かつ周壁上部12a を更に縮径させて上前方へ起立させその上端面を頂板13で閉塞している。図示例において周壁中間部上端の上向き段部は、その後部において周壁中間部の後部を高くして凹部14を形成し、前部は下外方への弯曲面としている。又その凹部を含む上向き段部上面へシリコンゴム等軟材質の台管15を嵌合させ、上記凹部の底板とその凹部内へ嵌合させた台管後部の肉厚部分とに連通させて底部下面から台管上面へ排気孔16を穿設している。周壁上端部は更に縮径させてその外面へパッキン17を嵌合させ、パッキン外面を後述蓋体周壁下部の嵌合部としている。その嵌合部下方の周壁部分外面へは、図２が示すように基端から第１ストッパ18を垂下する４箇の第１係合突条19を等間隔に横設している。第１係合突条中間部と他端とからは後述第２係合突条を仮係止させるための小突条20を垂下させている。
【００２５】
既述頂板13には、吸口状のノズル21を貫設し、該ノズルから吸上げパイプ22を容器体底部まで垂下している。
【００２６】
31は上記ノズル閉塞部付きの蓋体で、ほぼ半球面状とし、その頂部中心下面からノズルの口部閉塞用栓32を垂下し、又周壁33下部を既述パッキン17の外面へ嵌合させ、又周壁下部から下後方へ突出した柄34下端を既述凹部14後方の周壁中間部の後部へ枢着している。該柄側と対向する周壁部分外面へは、開閉蓋用の指掛け35を付設し、かつ該指掛け左右側方の周壁部分外面下方には第４係合突条36を横設している。
【００２７】
41は操作リングで、図２および図４が示すように、その内面下部に第２係合突条42を、又内面上部に第３係合突条43を、それぞれ複数、図示例では４箇宛、それぞれ等間隔に横設している。第２係合突条42は第３係合突条43の間隙よりも短くし、かつその間隙下方に位置するよう設けており、第３係合突条43はロック解除方向側（図４の右方）端部を蓋体の第４係合突条36の厚み巾分だけ垂下し、かつ該垂下部分端面を斜面に形成している。又操作リング下端面へは、ほぼ等間隔に排気孔16上端面を開閉する閉塞板44を付設している。
【００２８】
操作リング41は、蓋体開放状態でキャップ本体周壁12の上部外面へ、第２係合突条42を第１係合突条19間を通して下降させ、該位置でロック方向へ回し、図５が示すように第１係合突条19の図右半の下面へ係合させ、該位置で蓋体31を閉塞させて第３係合突条43間へ第４係合突条36を位置させる。該状態から更に操作リング41をロック方向へ回すと、図４が示すように第２係合突条42は第１係合突条19の基端側一半の下半下面へ係合すると共に第１ストッパ18に接してロック状態が完成し、該状態で排気孔16は、閉塞板44下面で閉塞される。
【００２９】
上記ロック状態の開放は、上記ロック操作と逆に行えばよい。つまり図４が示すロック状態から、操作リング41をロック解放方向（図右）へ、図５が示すように第４係合突条36が第３係合突条43下面から外れる位置まで回す。該位置でも第４係合突条36引上げで開蓋できるが、更に図６が示すように第２係合突条42が第１係合突条19間に位置するまで操作リング41を回せば、第４係合突条36は第３係合突条43上面へ乗り上げするため、蓋体前部は操作リングに対して多少上昇することとなる。尚該位置ではキャップ本体11から操作リング41を外すことも可能となる。
【００３０】
上記実施形態は、操作リング41の回動範囲を３区分とし、第１区分位置では蓋体がロックされると共に排気孔16が閉塞され、第２区分位置では上記ロックが解除され、第３区分位置では蓋体が押上げられると共に操作リングの取外しが可能としたが、図７から図１０が示す第１変形例のように回動範囲を４区分とし、第１区分位置で蓋体ロックと排気孔閉塞ができ、第２区分位置でロックが解除され、第３区分位置で蓋体前部が押上げられ、第４区分位置では操作リングの取外しが可能とすることが出来る。
【００３１】
この場合は、同長とした第１係合突条19と第３係合突条43の長さを第２係合突条42と第４係合突条36との約３倍としている。
【００３２】
蓋体のロックは次のように行う。図１０が示す第４区分位置で操作リングをキャップ本体の周壁上部へ嵌合させて第１係合突条19間下方へ第２係合突条42を位置させ、次に図８が示すように第２係合突条42を第１係合突条19の中間部下面へ移動させ、かつ該位置で蓋体を閉じ第４係合突条36を第３係合突条43間へ位置させ、更に図７のように第２係合突条42を第１係合突条19の基端側下面へ位置させて第１ストッパ18に当接させてロックする。このロック位置で第４係合突条36は第３係合突条43の基端側下面へ接し、又排気孔16は閉塞板44で閉塞される。
【００３３】
該第１変形例のロックの解除は次のように行う。
図７の位置を第１区分位置として、図８の第２区分位置まで操作リング41を図右方へ回すと、第４係合突条36は第３係合突条43間へ位置し、次いで図９が示す第３区分位置まで回すと、第４係合突条36は第３係合突条43の先端面が形成する斜面で押上げられて蓋体前部が押上げられて開蓋できる。更に図１０が示す第４区分位置まで回すと第２係合突条42は第１係合突条19との係合が外れ、よって操作リングは取外すことが出来る。
【００３４】
図１１から図１６は第２変形例で、操作リング回動範囲を３区分とするものであるが、蓋体ロック位置を第１区分位置とし、ロック解除位置を第２区分位置とし、上記第１と第２区分位置との中間位置を第３区分位置とするものである。
【００３５】
該第２変形例の場合は、第１係合突条19をその中間部から第２ストッパ18ａを垂下してほぼＴ字形状とし、操作リング内面下部には第２係合突条42を、上記内面の左右に第３係合突条Ａ43ａ、第３係合突条Ｂ43ｂを設け、図示例において第３係合突条Ａ43a は縦設板46の左側面中間から横設板47を突出し、かつ該横設板先端から斜上左方へ斜板48を突出する形状としている。又第３係合突条Ｂ43b は、右端から斜下右方へ先端を自由端とする弾性板49を突出する形状としている。蓋体の第４係合突条36は基端（図左端）を斜左上方への傾斜面50としている。
【００３６】
上記各係合突条は、図１１が示す操作リングおよび蓋体をキャップ本体へ組付け、かつ排気孔16閉塞したロック状態において、第１係合突条19の右半下面へ第２係合突条42が第２ストッパ18ａに接して係合し、又このとき第３係合突条Ａ43a の横設板47下面へ第４係合突条36が係合すると共に第３係合突条Ｂ43b は第１係合突条19の左方端部上方に位置するよう設ける。
【００３７】
蓋体31のロックは次のように行う。図１５が示すように第１係合突条19間下方に第２係合突条42を入れ、該状態から図１６が示すように操作リングをロック解除方向（図右方）へ回して第２係合突条42を第１係合突条19の左半下面へ、端部を第２ストッパ18ａに当接させて嵌合させ、該状態で蓋体31を閉塞して第４係合突条36を第３係合突条Ａ43a と第３係合突条Ｂ43b との間を通り、第１係合突条19右半上方へ位置させる。
【００３８】
該状態から、操作リング41をロック方向（図左方）へ回すと図１１が示すように第２係合突条42は第１係合突条19右半下面へ、端部を第２ストッパ18ａに接して係合し、第４係合突条36は第３係合突条Ｂ43b の弾性板49を押上げて第３係合突条Ａ43a の横設板47下面へ、端部を縦設板46下半が形成する第３ストッパに接して係合する。該状態で排気孔16上面は閉塞板44下面で閉塞され、蓋体31がロックされる。
【００３９】
上記図１１が示すロック状態から開蓋する際は、図１２が示すロック解除位置、つまり第２係合突条42が第１係合突条19の左半下面へ、端部が第２ストッパ18ａに接するまで回す。するとその途中で図１３が示すように第４係合突条36の一端は第３係合突条Ｂ43b の弾性板49下部に接しかつ図１４のようにその弾性板斜面に沿って第３係合突条Ｂ43b 上へ乗上げした後、図１２が示すように第３係合突条Ａ43a と第３係合突条Ｂ43b との間上方へ移動する。排気孔16は第２係合突条42が第１係合突条19の右半下面から外れるとほぼ同時に閉塞板44が外れることで開孔して容器体内高圧蒸気等を排出し、よって図１２が示す状態から開蓋してもノズル21から液体噴出するおそれはない。尚操作リング41の取外しは図１５が示すように、第２係合突条42が第１係合突条19間に位置したとき行うことが出来る。
【００４０】
図１７と図１８とは第２実施形態を示す。第１実施形態との同一部分については同一符号を付することで説明を省略し、相違点についてだけ説明すると、操作リング41は図１８が示すように楕円形状に形成されており、かつその長手方向一端からは平面Ｔ字形状の把手51を外方へ突出している。操作リング41の下端内面には複数の突条52を小間隙をおいて周設しており、これ等突条を台管15上方の周壁上部上端に周設した突条23下面へ一部を係合させて嵌合させ、上記把手51を引き、又押すことで、操作リング41が台管15上面を前後へ摺動可能としており、図１７が示すように操作リングを押込みしたとき、台管15が有する排気孔16上面が操作リング後部下面で閉塞され、又前方引出しすると、操作リング後部は排気孔16上面よりも前方へ移動して、その排気孔が開孔するよう設けている。尚把手51を有する操作リング前部の上端内面へは係合板53を付設しており、操作リングを後方押込みしたとき、蓋体周壁下端前面へ付設した突条37上面へ係合板53が係合して開蓋が不能となり、前方引出ししたときその係合が外れて開蓋可能としている。蓋体周壁の前部上端からは開閉蓋操作用の指掛け35を付設している。
【００４１】
該実施形態の場合は、開蓋に先だち操作リング41を前方引出しすることとなり、このとき排気孔16は開孔するからこのとき容器体内の高圧空気ないし蒸気は排出され、よって次いで開蓋してもノズル21から液体噴出することがない。
【図面の簡単な説明】
【００４２】
【図１】本発明容器の断面図である。
【図２】図１要部の分解斜視図である。
【図３】図１容器の正面図である。
【図４】図１容器蓋体のロック機構の展開図で、蓋体ロック状態を示す断面図である。
【図５】図４をロック開放状態で示す断面図である。
【図６】図４を、蓋体前部が押上げられ、かつ操作リングの取外しが可能とした状態で示す断面図である。
【図７】蓋体ロック機構を第１変形例で示す展開図で、ロック状態を示す断面図である。
【図８】図７をロック解放状態で示す断面図である。
【図９】図７を蓋体前部押上げ状態で示す断面図である。
【図１０】図７を操作リングの取外しが可能とした状態で示す断面図である。
【図１１】蓋体ロック機構を第２変形例で示す展開図で、ロック状態を示す断面図である。
【図１２】図１１を、ロック解除状態で示す断面図である。
【図１３】図１１を、ロック状態からロック解放する途中の状態を示す断面図である。
【図１４】図１３の位置から更にロック解放方向へ操作リングを回した状態での断面図である。
【図１５】図１１の状態から蓋体を外し、かつ操作リングを取外し可能位置まで回した状態での断面図である。
【図１６】図１５の状態から蓋体の閉蓋が可能とした状態での断面図である。
【図１７】第２実施形態で示す、本発明容器の断面図である。
【図１８】図１７要部の分解斜視図である。
【図１９】図１７容器の正面図である。
【符号の説明】
【００４３】
１  容器体                          ３  胴部
５  把手部材                        11  キャップ本体
16  排気孔                          19  第１係合突条
21  ノズル                          31  蓋体
32  柄                              41  操作リング
42  第２係合突条                    43  第３係合突条
【図１】
2005132454.tif 000003
【図２】
2005132454.tif 000004
【図３】
2005132454.tif 000005
【図４】
2005132454.tif 000006
【図５】
2005132454.tif 000007
【図６】
2005132454.tif 000008
【図７】
2005132454.tif 000009
【図８】
2005132454.tif 000010
【図９】
2005132454.tif 000011
【図１０】
2005132454.tif 000012
【図１１】
2005132454.tif 000013
【図１２】
2005132454.tif 000014
【図１３】
2005132454.tif 000015
【図１４】
2005132454.tif 000016
【図１５】
2005132454.tif 000017
【図１６】
2005132454.tif 000018
【図１７】
2005132454.tif 000019
【図１８】
2005132454.tif 000020
【図１９】
2005132454.tif 000021